(57)【要約】      （修正有）【課題】エレベータの保守点検時、スクリーン案内溝の保守点検を簡単に、且つ、確実に実施することができるエレベータのスクリーン案内溝の点検装置を得る。【解決手段】エレベータの乗場三方枠の縦枠に設けられたスクリーン昇降溝と、スクリーン昇降溝が設けられた縦枠の反乗場通路側に設けられ、スクリーンの両端部の移動方向を案内するガイドレールとを点検するエレベータのスクリーン案内溝の点検装置において、スクリーン昇降溝の幅よりも細い棒状部１１と、棒状部１１に対して一直線状となるように棒状部１１の一端部に設けられ、ガイドレール内において棒状部１１を中心に垂直状態から水平状態に回動可能な所定の形状、及び、スクリーン昇降溝の幅よりも薄い厚みを有するプレート部１０とを備え、プレート部１０の先端部を、ガイドレール内で水平状態に配置された際に、ガイドレールと所定の間隙を有して対向させる。【選択図】図３
2007112554.tif 000002
【特許請求の範囲】
【請求項１】
エレベータの乗場三方枠の縦枠に設けられ、火災発生時に乗場出入口の上方から下降して前記乗場出入口を遮蔽するスクリーンの両端部が配置されるスクリーン昇降溝と、
前記スクリーン昇降溝が設けられた前記縦枠の反乗場通路側に設けられ、前記スクリーンの両端部の移動方向を案内するガイドレールと、
を点検するエレベータのスクリーン案内溝の点検装置において、
前記スクリーン昇降溝の幅よりも細い棒状部と、
前記棒状部に対して一直線状となるように前記棒状部の一端部に設けられ、前記ガイドレール内において前記棒状部を中心に垂直状態から水平状態に回動可能な所定の形状、及び、前記スクリーン昇降溝の幅よりも薄い厚みを有するプレート部と
を備え、
前記プレート部は、その先端部が、前記ガイドレール内で水平状態に配置された際に、前記ガイドレールと所定の間隙を有して対向することを特徴とするエレベータのスクリーン案内溝の点検装置。
【請求項２】
プレート部は、その反先端部が、ガイドレール内で水平状態に配置された際に、スクリーン昇降溝を形成する溝構成部と所定の間隙を有して対向することを特徴とする請求項１に記載のエレベータのスクリーン案内溝の点検装置。
【請求項３】
スクリーン昇降溝は、縦枠を構成するパネルの互いに隣接する端部が反乗降通路側に曲成されることによって形成され、
プレート部は、その反先端部に、溝構成部に対向する凹部が形成されたことを特徴とする請求項１又は請求項２に記載のエレベータのスクリーン案内溝の点検装置。
【請求項４】
プレート部がガイドレール内に配置された際に乗場三方枠の縦枠と所定の間隙を有して対向する保護プレートが設けられたことを特徴とする請求項１から請求項３の何れかに記載のエレベータの点検装置。
【発明の詳細な説明】
【技術分野】
【０００１】
この発明は、エレベータの乗場に設けられたスクリーン案内溝内の異物の有無を点検する点検装置に関するものである。
【背景技術】
【０００２】
エレベータの乗場には、火災発生時にエレベータ昇降路を介して煙が建築物内に蔓延することを防止するため、乗場出入口を密封状態に遮蔽するスクリーンが設置されたものがある。かかる従来技術として、乗場三方枠の上枠に設けられた巻取り装置と、遮煙性及び遮炎性を有するスクリーンからなる耐熱性シートと、この耐熱性シートの幅方向の縁部に装着された磁石と、耐熱性シートの下端に装着された重錘と、煙感知器の動作によって巻取り装置の制御手段に回転制動解除を指令する制御装置とを備え、火災発生時に、煙感知器の作動に基づく制御手段の動作によって耐熱性シートを下降させ、乗場出入口を遮蔽するようにしたものが提案されている（例えば、特許文献１参照）。
【０００３】
【特許文献１】特開２００２−３３８１６０号公報
【発明の開示】
【発明が解決しようとする課題】
【０００４】
特許文献１記載のスクリーンは、その両端部が、乗場三方枠の縦枠に形成されたスクリーン昇降溝を通って縦枠内部に配置され、縦枠内に設けられたガイドレールによってその移動方向が案内されている。縦枠に形成された上記スクリーン昇降溝は、一般に使用されているシャッター等の昇降溝より細く、通常、約６ｍｍ程度しかないため、スクリーン昇降溝に異物が挟まっていないか、或いは、ガイドレール内にスクリーンの昇降を阻害するようなゴミ等が入り込んでないか等の判断が難しく、エレベータの保守点検時、スクリーン昇降溝及びガイドレール（以下、「スクリーン案内溝」という）の点検作業に時間と手間を要して作業性が悪いという問題があった。また、スクリーン昇降溝に挟まった異物や、ガイドレール内に放置されたゴミ等を保守点検時に発見することができなかった場合には、スクリーンによる乗場出入口の遮蔽が完全なものとはならず、火災発生時における防火及び防煙性能が十分に確保できなくなるといった問題も生じていた。
【０００５】
この発明は、上述のような課題を解決するためになされたもので、その目的は、エレベータの保守点検時、スクリーン案内溝の保守点検を簡単に、且つ、確実に実施することができるエレベータのスクリーン案内溝の点検装置を提供することである。
【課題を解決するための手段】
【０００６】
この発明に係るエレベータのスクリーン案内溝の点検装置は、エレベータの乗場三方枠の縦枠に設けられ、火災発生時に乗場出入口の上方から下降して乗場出入口を遮蔽するスクリーンの両端部が配置されるスクリーン昇降溝と、スクリーン昇降溝が設けられた縦枠の反乗場通路側に設けられ、スクリーンの両端部の移動方向を案内するガイドレールと、を点検するエレベータのスクリーン案内溝の点検装置において、スクリーン昇降溝の幅よりも細い棒状部と、棒状部に対して一直線状となるように棒状部の一端部に設けられ、ガイドレール内において棒状部を中心に垂直状態から水平状態に回動可能な所定の形状、及び、スクリーン昇降溝の幅よりも薄い厚みを有するプレート部とを備え、プレート部は、その先端部が、ガイドレール内で水平状態に配置された際に、ガイドレールと所定の間隙を有して対向するものである。
【発明の効果】
【０００７】
この発明は、エレベータの乗場三方枠の縦枠に設けられ、火災発生時に乗場出入口の上方から下降して乗場出入口を遮蔽するスクリーンの両端部が配置されるスクリーン昇降溝と、スクリーン昇降溝が設けられた縦枠の反乗場通路側に設けられ、スクリーンの両端部の移動方向を案内するガイドレールと、を点検するエレベータのスクリーン案内溝の点検装置において、スクリーン昇降溝の幅よりも細い棒状部と、棒状部に対して一直線状となるように棒状部の一端部に設けられ、ガイドレール内において棒状部を中心に垂直状態から水平状態に回動可能な所定の形状、及び、スクリーン昇降溝の幅よりも薄い厚みを有するプレート部とを備え、プレート部は、その先端部が、ガイドレール内で水平状態に配置された際に、ガイドレールと所定の間隙を有して対向する構成としたことで、エレベータの保守点検時、スクリーン案内溝の保守点検を簡単に、且つ、確実に実施することができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はエレベータ乗場を示す正面図、図２は図１におけるＡ−Ａ断面図である。図１及び図２において、１はエレベータ乗場に設けられ、乗場の床面２とともに乗場出入口を形成する乗場三方枠であり、乗場出入口の両側に立設されて、その一部が乗場出入口の側壁３ａを形成する縦枠３と、この縦枠３の上部に渡って設けられ、乗場出入口の上方に配置された幕板４とから構成される。５は乗場に設けられて乗場出入口を開閉する乗場ドア、６は幕板４の裏面側に設けられたスクリーンケースであり、このスクリーンケース６の中に、防火性及び防煙性を有するスクリーン７が巻き取られて収納されている。
【００１０】
また、８は乗場出入口の側壁３ａを構成する乗場三方枠１の各縦枠３に互いに対向するように設けられたスクリーン昇降溝であり、スクリーンケース６から乗場の床面２に渡って鉛直方向に形成されている。９はスクリーン昇降溝８が設けられた各縦枠３の反乗降通路側に設けられて、スクリーン７の昇降時にその両端部の移動方向を案内するガイドレールである。
【００１１】
ここで、上記スクリーン昇降溝８は、乗場出入口の側壁３ａを構成する縦枠３ａの乗場側及び昇降路側に配置されたパネルによって形成されている。即ち、スクリーン昇降溝８は、縦枠３ａを構成する上記両パネルの互いに隣接する端部３ｂ及び３ｃが、横断面が略Ｌ字状となるように上下に渡って反乗降通路側に曲成されて、所定の幅を有して互いに対向するように配置されることによって形成されている。また、ガイドレール９は、横断面が略コ字状を呈しており、このコ字状部によってスクリーン昇降溝８を跨ぐように、一側部が乗場側の上記パネル裏面に、他側部が昇降路側の上記パネル裏面に固定されている。
【００１２】
上記構成を有するエレベータの乗場では、火災感知器等によって火災が発生したことが検知されると、この火災感知器からの信号を受信して、スクリーン７が乗場出入口の上方から降下するように制御されている。スクリーン７の昇降時、スクリーン７の両端部は、乗場の通路側から縦枠３の各スクリーン昇降溝８を通って縦枠３内に配置され、ガイドレール９によってその移動方向が案内される。そして、スクリーン７の下端部が乗場の床面２に達することにより、乗場出入口が遮蔽されて、防火区画が形成される。なお、乗場三方枠１の縦枠３に形成された各スクリーン昇降溝８は、一般に使用されるシャッター等の昇降溝よりも細く、約６ｍｍ程度で構成されている。
【００１３】
次に、上記スクリーン昇降溝８及びガイドレール９からなるスクリーン案内溝の保守点検を行う点検装置について説明する。エレベータの保守点検時、エレベータ保守作業員によって、スクリーン昇降溝８に異物が挟まっていないか、或いは、ガイドレール９内にスクリーン７の昇降を阻害するようなゴミ等が入り込んでいないか等の点検が、後述する点検装置を用いて実施される。
【００１４】
図３はこの発明の実施の形態１におけるエレベータのスクリーン案内溝の点検装置であり、（ａ）はその側面図、（ｂ）はその正面図である。図３において、スクリーン案内溝の点検装置は、所定の大きさ及び厚みを有する略四角形状のプレート部１０と、一端部がプレート部１０の一端面に設けられた所定の直径を有する略円柱状の棒状部１１と、棒状部１１の他端部に設けられた把手部１２とから構成される。
【００１５】
ここで、上記棒状部１１は、所定の長さを有し、その直径がスクリーン昇降溝８の幅Ｂよりも細くなるように構成されている。一方、上記プレート部１０は、棒状部１１に対して略一直線状となるように棒状部１１の一端部に設けられ、ガイドレール９内において棒状部１１を中心に垂直状態から水平状態に回動可能なようにガイドレール９の横断面よりも一回り小さい所定の形状、及び、スクリーン昇降溝８の幅Ｂよりも薄い厚みを有している。
【００１６】
次に、上記構成を有する点検装置を用いて、スクリーン案内溝の点検を行う場合について説明する。図４は、この発明の実施の形態１におけるエレベータのスクリーン案内溝の点検装置の動作を説明する図である。図３及び図４において、エレベータの保守点検時、保守作業員は、点検装置のプレート部１０をスクリーン昇降溝８の溝方向に合わせて垂直に立てた状態で持ち、このプレート部１０をスクリーン昇降溝８内に挿入する。そして、プレート部１０を完全にガイドレール９内に配置した後、このプレート部１０を９０度回転させて水平な状態とし、プレート部１０を水平な状態に保持したまま上下方向に移動させる。
【００１７】
ここで、プレート部１０はガイドレール９の横断面形状よりも一回り小さい形状を有しており、ガイドレール９内で水平状態に配置された際に、その先端部がガイドレール９の内面と所定の僅かな間隙を有して対向するように構成されている。このため、ガイドレール９内に異物が入り込んでいる場合には、点検装置を上下方向に移動させた際にプレート部１０がこの異物に接触するため、保守作業員はガイドレール９内の異物の存在を容易に把握することができる。また、スクリーン昇降溝８に異物が挟まっている場合には、点検装置を上下方向に移動させた際に棒状部１１がこの異物に接触するため、保守作業員はスクリーン昇降溝８内の異物の存在も容易に把握することが可能となる。
【００１８】
この発明の実施の形態１によれば、検出装置のプレート部１０及び棒状部１１によって、ガイドレール９内及びスクリーン昇降溝８内の異物を容易に、且つ、確実に発見することができ、保守作業時間を大幅に短縮させることが可能となる。なお、プレート部１０が水平になっているかを確認することができる目印等を把持部１２に設けることにより、保守点検作業をより確実なものとすることもできる。
【００１９】
実施の形態２．
図５はこの発明の実施の形態２におけるエレベータのスクリーン案内溝の点検装置であり、（ａ）はその側面図、（ｂ）はその正面図である。図５において、スクリーン案内溝の点検装置は、スクリーン昇降溝８の幅Ｂよりも薄い一枚の薄板から成形されている。即ち、上記点検装置は、一枚の薄板から、所定の大きさ及び厚みを有する略四角形状のプレート部１３と、一端部がプレート部１３に接続された、スクリーン昇降溝８の幅Ｂよりも細い幅を有する棒状部１４と、棒状部１４の他端部に接続された把持部１５と、が成形される。かかる構成を有することにより、点検装置をレーザー加工や型での打ち抜き加工等によって製作することが可能となり、安価に提供することが可能となる。なお、その他は、実施の形態１と同様の構成及び効果を有する。
【００２０】
実施の形態３．
図６はこの発明の実施の形態３におけるエレベータのスクリーン案内溝の点検装置であり、（ａ）はその側面図、（ｂ）はその正面図である。図６において、スクリーン案内溝の点検装置は、所定の大きさ及び厚みを有する略四角形状のプレート部１０と、一端部がプレート部１０の一端面に設けられた所定の直径を有する略円柱状の棒状部１１と、棒状部１１の他端部に設けられた把手部１２と、棒状部１１の他端部側にこの棒状部１１に直交するように設けられた所定の直径を有する略円形状の保護プレート１６とから構成される。
【００２１】
なお、図７はこの発明の実施の形態３におけるエレベータのスクリーン案内溝の点検装置の動作を説明する図であり、プレート部１０をガイドレール９内に配置した後に９０度回転させてプレート部１０を水平状態にした状態を示している。ここで、上記保護プレート１６は、プラスチック等の軟質材で構成され、プレート部１０をスクリーン昇降溝８内に挿入してガイドレール９内に配置したときに、縦枠３の側壁３ａに僅かな間隙を有して対向するような位置に配置されている。かかる構成を有することにより、保守点検作業中に側壁３ａの意匠面に傷を付けることを防止することができ、保守性を向上させることが可能となる。
【００２２】
実施の形態４．
図８はこの発明の実施の形態４におけるエレベータのスクリーン案内溝の点検装置の正面図、図９はこの発明の実施の形態４におけるエレベータのスクリーン案内溝の点検装置の動作を説明する図である。図８及び図９において、スクリーン案内溝の点検装置は、所定の大きさ、形状及び厚みを有するプレート部１７と、一端部がプレート部１７の一端面に設けられた所定の直径を有する略円柱状の棒状部１１と、棒状部１１の他端部に設けられた把持部１２とから構成される。
【００２３】
ここで、上記プレート部１７は、棒状部１１に対して略一直線状となるように棒状部１１の一端部に設けられ、ガイドレール９内において棒状部１１を中心に垂直状態から水平状態に回動可能なようにガイドレール９の横断面よりも一回り小さい所定の形状、及び、スクリーン昇降溝８の幅Ｂよりも薄い厚みを有している。即ち、プレート部１７の先端部は、ガイドレール９内で水平状態に配置された際に、ガイドレール９の内面と所定の僅かな間隙を有して対向するように構成されている。このため、プレート部１７をガイドレール９内に配置後に９０度回転させて上下方向に移動させることにより、ガイドレール９奥側の異物の存在を容易に点検することができる。
【００２４】
一方、プレート部１７の反先端部側は、プレート部１０がガイドレール９内で水平状態に配置された際に、スクリーン昇降溝８を形成する溝構成部と所定の間隙を有して対向するように構成されている。即ち、プレート部１７の反先端部側には、プレート部１０がガイドレール９内で水平状態に配置された際に、上記溝構成部となるパネルの端部３ｂ及び３ｃに所定の間隙を有して対向する凹部が形成されている。したがって、プレート部１７をガイドレール９内に配置後に９０度回転させて水平状態とし、さらにプレート部１７を乗場通路側に所定距離スライドさせることにより、上記パネル端部の両側の空間にもプレート部１７が配置されるため、かかる空間に存在する異物も容易に発見することが可能となる。
【００２５】
この発明の実施の形態４によれば、検出装置のプレート部１７及び棒状部１１によって、ガイドレール９内全体及びスクリーン昇降溝８内の異物を、より確実に発見することが可能となる。その他は、実施の形態１から３の何れかと同様の構成及び効果を有する。
【００２６】
なお、この発明の実施の形態４では、プレート部１７の反先端部側に、パネルの端部３ｂ及び３ｃの形状に合わせた凹部を形成することにより、パネルの端部３ｂ及び３ｃ両側に存在する異物を発見することとしているが、プレート部１７の反先端部側の形状は凹部に限るものではなく、ガイドレール９内全体の異物を発見することができるように溝構成部の形状に合わせて成形すれば良いことは言うまでもない。
【図面の簡単な説明】
【００２７】
【図１】エレベータ乗場を示す正面図である。
【図２】図１におけるＡ−Ａ断面図である。
【図３】この発明の実施の形態１におけるエレベータのスクリーン案内溝の点検装置であり、（ａ）はその側面図、（ｂ）はその正面図である。
【図４】この発明の実施の形態１におけるエレベータのスクリーン案内溝の点検装置の動作を説明する図である。
【図５】この発明の実施の形態２におけるエレベータのスクリーン案内溝の点検装置であり、（ａ）はその側面図、（ｂ）はその正面図である。
【図６】この発明の実施の形態３におけるエレベータのスクリーン案内溝の点検装置であり、（ａ）はその側面図、（ｂ）はその正面図である。
【図７】この発明の実施の形態３におけるエレベータのスクリーン案内溝の点検装置の動作を説明する図である。
【図８】この発明の実施の形態４におけるエレベータのスクリーン案内溝の点検装置の正面図である。
【図９】この発明の実施の形態４におけるエレベータのスクリーン案内溝の点検装置の動作を説明する図である。
【符号の説明】
【００２８】
１  乗場三方枠
２  乗場の床面
３  縦枠
３ａ  側壁
３ｂ、３ｃ  端部
４  幕板
５  乗場ドア
６  スクリーンケース
７  スクリーン
８  スクリーン昇降溝
９  ガイドレール
１０、１３、１７  プレート部
１１、１４  棒状部
１２、１５  把手部
１６  保護プレート
【図１】
2007112554.tif 000003
【図２】
2007112554.tif 000004
【図３】
2007112554.tif 000005
【図４】
2007112554.tif 000006
【図５】
2007112554.tif 000007
【図６】
2007112554.tif 000008
【図７】
2007112554.tif 000009
【図８】
2007112554.tif 000010
【図９】
2007112554.tif 000011